(57)【特許請求の範囲】
【請求項１】
２個の開放ドラム（Ｂ，Ｃ）を備え、この開放ドラムの軸（１５，１６；５１，５２）が搬送装置（１３）の搬送方向に対して平行に延び、この開放ドラムがその都度１枚の紙葉（１２）を開放し、紙葉の開放側を先にして下方に向けて搬送装置（１３）上に下ろし、紙葉（１２）が搬送装置（１３）の搬送方向に予備加速される、折り畳まれた紙葉（１２）を開放し、走行する搬送装置（１３）において、
開放ドラム（Ｂ，Ｃ）が、紙葉（１２）を水平方向に予備加速するための手段（２９，５９）を備えていることを特徴とする装置。
【請求項２】
紙葉（１２）がその予備加速のために開放ドラム（Ｂ，Ｃ）によって、互いに転動する２つの範囲（４６）の間で外側を捕捉されることを特徴とする請求項１記載の装置。
【請求項３】
開放ドラムがそれぞれ少なくとも２個の開放ディスク（２３〜２６；５３，５４）を備え、この開放ディスクが紙葉（１２）をそれぞれ開放した後で紙葉を解放し、紙葉が開放ドラム（Ｂ，Ｃ）上に配置された他の手段（２９，５９）によって捕捉され、搬送装置（１３）上に下ろす前に搬送装置の搬送方向に加速されることを特徴とする請求項１または２記載の装置。
【請求項４】
開放ディスク（２３〜２６；５３，５４）がその外周の所定の一部範囲によって紙葉（１２）をそれぞれ捕捉するように、開放ディスクの外周の一部が切断されていることを特徴とする請求項３記載の装置。
【請求項５】
前記手段（２９）が加速ローラを備え、この加速ローラがそれぞれ、両開放ディスク（２３〜２６）の軸（１５，１６）上に斜めに配置されていることを特徴とする請求項３または４記載の装置。
【請求項６】
加速ローラ（２９）の外周の一部が切断されていることを特徴とする請求項５記載の装置。
【請求項７】
加速ローラ（２９）が紙葉（１２）を解放した後すぐに、開放ディスク（２３〜２６）によって紙葉を捕捉して加速することを特徴とする請求項５または６記載の装置。
【請求項８】
加速ローラ（２９）がそれぞれ相対回転しない台に支承されていることを特徴とする請求項５〜７のいずれか一つに記載の装置。
【請求項９】
加速ローラ（２９）が開放ドラム（Ｂ，Ｃ）の回転軸線に対して平行に延びる案内棒（３０）によって駆動連結されていることを特徴とする請求項５〜８のいずれか一つに記載の装置。
【請求項１０】
加速ローラ（２９）が半径方向に延びる案内スリット（３３）を備え、この案内スリット内でそれぞれ、案内棒（３０）上に配置された球（３２）が摺動可能に案内されていることを特徴とする請求項９記載の装置。
【請求項１１】
各々の開放ドラム（Ｂ，Ｃ）が少なくとも２個の開放ディスク（２３〜２６）を備え、この開放ディスクが少なくとも２個の加速ローラ（２９）の間に配置されていることを特徴とする請求項５〜１０のいずれか一つに記載の装置。
【請求項１２】
開放ディスク（２３〜２６）と加速ローラ（２９）がそれぞれ対をなして協働することを特徴とする請求項５〜１１のいずれか一つに記載の装置。
【請求項１３】
加速ローラ（２９）が作用するその外周面（４２）に、それぞれ１個の被覆材を備え、加速すべき紙葉がこの被覆材によって捕捉されることを特徴とする請求項５〜１２のいずれか一つに記載の装置。
【請求項１４】
加速ローラ（２９）が加速すべき紙葉（１２）のそれぞれ外面を捕捉し、紙葉（１２）の折り目（１２ｃ）に対して斜めにこの紙葉上を走行することを特徴とする請求項５〜１３のいずれか一つに記載の装置。
【請求項１５】
加速ローラ（２９）がそれぞれ外面の上側の折り目近くの範囲においてのみ走行することを特徴とする請求項５〜１４のいずれか一つに記載の装置。
【請求項１６】
前記手段（５９）が紙葉（１２）を加速するために、開放ディスク（５３，５４）上に配置されていることを特徴とする請求項１記載の装置。
【請求項１７】
前記手段（５９）が少なくとも２個の駆動されるロールまたはドラム（５９）を備え、このロールまたはドラムがそれぞれ開放ディスク（５９）上に配置され、かつ紙葉（１２）を一緒に捕捉して加速するために協働することを特徴とする請求項１６記載の装置。
【請求項１８】
両ドラム（５９）が円すい状の形状をしていることを特徴とする請求項１６または１７記載の装置。
【請求項１９】
両ドラム（５９）がそれぞれ軸（６１）に回転可能に支承され、この軸（６１）が開放ディスクの外周に対する弦を形成していることを特徴とする請求項１６〜１８のいずれか一つに記載の装置。
【請求項２０】
両ドラム（５９）がそれぞれ開放ディスク（５３，５４）の凹部（５７）内に配置され、ドラムの外周の子午線（６０ａ）が、開放ディスク（５３，５４）の先行する外周範囲と同じ面内にある円弧を形成していることを特徴とする請求項１６〜１９のいずれか一つに記載の装置。
【請求項２１】
紙葉（１２）がそれぞれ搬送装置（１３）の移動方向に連続的に大きく加速されるように、ドラム（５９）の外周（６０ｂ）が走行方向に見て連続的に大きくなっていることを特徴とする請求項１６〜２０のいずれか一つに記載の装置。
【請求項２２】
各々の開放ディスク（５３，５４）上に、直径方向に対向する２個のドラム（５９）が配置されていることを特徴とする請求項１６〜２１のいずれか一つに記載の装置。
【請求項２３】
ドラム（５９）がそれぞれ遊星歯車装置（７０）を介して駆動され、この遊星歯車装置が開放ディスク（５３，５４）の軸（５１，５２）に支持されていることを特徴とする請求項１６〜２２のいずれか一つに記載の装置。
【発明の詳細な説明】
【０００１】
【発明の属する技術分野】
本発明は、２個の開放ドラムを備え、この開放ドラムの軸が搬送装置の搬送方向に対してほぼ平行に延び、この開放ドラムがその都度１枚の紙葉を開放し、紙葉の開放側を先にして下方に向けて搬送装置上に下ろし、紙葉が搬送装置の搬送方向に予備加速される、折り畳まれた紙葉を開放し、走行する搬送装置、特に丁合いチェーン上に下ろすための装置に関する。
【０００２】
【従来の技術】
スイス国特許第６１７９０５号公報により、偏心した位置で折り畳んだ紙葉を開放し、丁合いチェーン上に下ろすことができる装置が知られている。この装置は連続的に回転する排紙ドラムと、その下に配置された２個の開放ドラムを備えている。この開放ドラムは紙葉を開放し、搬送チェーン上に落下させる。この場合、第１の開放ドラムが折り畳んだ紙葉の上側部分に作用し、続いて第２の開放ドラムが紙葉の他方の短い部分に作用する。紙葉は開放した後すぐに、走行するチェーン上に落下する。チェーン上での紙葉の連行は連行部材によって行われる。この場合、紙葉は走行するチェーンによって幾分予備加速される。
【０００３】
経験によれば、薄い四角形の紙葉は予備加速しないで丁合いチェーン上に垂直に下ろすことができる。時間あたり約１６０００枚の速度よりも速い速度の場合に、紙葉は加速時に連行部材によって強く押圧され、もはや確実に加速されなくなる。高出力機械の場合には更に、チェーンピッチ、すなわち後続する２つの連行部材の間隔と、処理すべき紙葉の背の長さとの差をできるだけ小さくする。この場合、走行する丁合いチェーン上で紙葉を摩擦によって加速するのに時間が足りない。従って、この装置では、特に薄い紙葉の場合に、それ以上出力を高めることは不可能である。
【０００４】
スイス国特許第４９３３３７号公報により、類似の装置が知られている。この装置の場合には、開放した紙葉が剣状部材上に下ろされ、この剣状部材の運動によって予備加速される。しかし、実際には、このような剣状部材によって加速が達成されなかった。静電気を帯びた紙葉の場合更に、垂直方向下方に向いた速度成分が不足する。この速度成分はこのような紙葉の場合に必要である。
【０００５】
【発明が解決しようとする課題】
本発明の根底をなす課題は、出力を更に高めることができ、それにもかかわらず低コストで製作可能である、冒頭に述べた種類の装置を提供することである。
【０００６】
【課題を解決するための手段】
この課題は請求項１記載の装置によって解決される。
【０００７】
本発明による装置の場合には、紙葉がそれぞれ開放ドラムによって、下ろす前に水平方向に予備加速される。従って、紙葉は技術水準の場合のように先ず最初に下ろされて加速されないで、下ろす前に開放ドラム上で水平に加速され、それによって水平速度成分と垂直速度成分を有する。加速工程は開放工程に続いて直ぐに開放ドラム上で行われる。紙葉を開放ドラムから出るまでに中断しないで案内できるようにすることが重要である。それによって、加速工程は開放工程の直ぐ後で行われる。
【０００８】
紙葉は好ましくは、その開放した下側部が搬送チェーンにかぶさったときに、開放ドラムによって水平方向に加速される。従って、紙葉を離した後で、紙葉は搬送チェーンによって直ちに受け取られ、搬送チェーンによって案内される。試験の結果、非常に薄い紙葉でも、従来よりも高い出力で確実に処理できることが判った。
【０００９】
本発明による装置の重要な利点は、垂直方向の落下成分が維持されることにある。それによって、静電気を帯びた紙葉を処理することができる。この紙葉は予め定めた最低垂直方向速度で搬送チェーンまたは丁合いチェーン上に落下させなければならない。上記の剣状部材による予備加速の場合には、これは不可能である。
【００１０】
非常に低コストで信頼性のある装置は、本発明の実施形に従って、加速ローラが設けられ、この加速ローラがそれぞれ両開放ドラムの軸上に斜めに配置されていることによって得られる。この加速ローラによって、紙葉はそれぞれ、開放のすぐ後に、開放ディスクによって外側を捕捉され、搬送装置の搬送方向に加速される。この加速ローラは特に、プロフィルローラとして形成されている。本発明の他の実施形に従って、斜めの加速ローラの少なくとも１個が弾性的な被覆材を備えていると、装備変え作業をしないで、異なる厚さの紙葉を処理することができる。
【００１１】
本発明の他の実施形では、駆動される少なくとも２個のロールが設けられている。このロールはそれぞれ開放ローラ上に配置され、それぞれ１枚の紙葉を一緒に捕捉して加速するために互いに協働する。従って、この実施形の場合には、紙葉を加速する手段を開放ディスク上に直接配置することができる。この実施形の重要な利点は、非常に小さな寸法の紙葉も処理できることにある。このドラムが円すい状の形状をしていると、紙葉はこのドラムによって捕捉する際に連続して加速される。それによって、水平な速度は始端で遅く、最後に最大となる。
【００１２】
本発明の他の有利な特徴は、従属請求項、次の記載および図面から明らかである。
【００１３】
【発明の実施の形態】
次に、図に基づいて本発明の２つの実施の形態を詳しく説明する。
【００１４】
図１は技術水準によるフィーダー１を示している。このフィーダーによって、載せ台２上に積層体として配置され偏心的に折り畳んだ印刷製品１２は、走行する丁合いチェーン１３上に下ろされる。この丁合いチェーン１３は図１の平面に対して垂直方向に紙葉を搬送する。搬送チェーン上に集められた紙１２は続いて、他の処理が行われる。例えば図示していない綴じ機によって綴じられる。しかし、これは必須ではない。
【００１５】
フィーダー１は排紙ドラムＡを備えている。吸引器４で下方に傾いた紙葉１２は、掴み具５によって排紙ドラムＡ上に１枚ずつ分離される。排紙ドラムは１個または複数の掴み具５を備えている。この掴み具５は紙葉１２の寸法に合わせて調節可能なストッパー６の方へ紙葉を引っ張る。カムで制御される接触具７は紙葉をそれぞれ個々に開放ドラムＢ，Ｃに移送する。この場合、案内手段８，９がこの移送を補助する。開放ドラムＢは紙葉の上側部分１２ａの範囲において掴み具１０によって紙葉１２を掴み、その都度ストッパー６から離れる方向に紙葉１２を引っ張る。掴み具１０は紙葉１２を離すので、紙葉は跳ね上がり、紙葉１２の短い部分を開放ドラムＣの掴み具１１によって掴むことができる。紙葉１２は開放した側を先にして、開放ドラムＢとＣの間に下方へ搬送され、搬送チェーン１３上に下ろされる。
【００１６】
本発明による実施の形態の次の説明の際、排紙ドラムＡは省略されている。というのは、この排紙ドラムはそれ自体公知であり、紙葉１２を適当な方法で開放ドラムＢ，Ｃに移送する他の装置によって置き換え可能であるからである。
【００１７】
図２〜８に示した本発明による装置は開放ドラムＢ，Ｃを備えている。この開放ドラムはそれぞれ２個の開放ディスク２５，２６を備えている。紙葉はこの開放ディスクによってそれ自体公知の方法で個別的に搬送される。
【００１８】
ここで、機械台は図示上の理由から省略されている。台に固定された軸受部品１７，１８または１９，２０だけが示してある。
【００１９】
開放ドラムＢは図２，３に示すごとく、軸１５を備えている。この軸には両開放ディスク２５，２６が相対回転しないようにかつ互いに平行に配置されている。図３に示すように、掴み具２７はそれ自体公知のごとく、複数のカムディスク４３によって制御される。このカムディスクはそれぞれ、台に固定された管２１に支持されている。２つの部分からなる管２１は固定手段２２によって機械台に相対しないように固定され、軸１５に支承されている。互いに間隔をおいて配置された円板状の両開放ディスク２５，２６は、管２１のこの両部分の間にあり、軸１５に相対回転しないように連結されている。軸１５はその図示していない駆動機構に相対回転しないように連結するために、回転連動くさび１５ａを備えている。図から判るように、管２１は軸１５に対して同軸に配置されている。
【００２０】
管２１には、両開放ディスク２５，２６の外側において互いに間隔をおいて、２個の同一の加速ローラ２９が設けられている。この加速ローラは軸１５の中心軸線に対して角度αで傾斜している。この角度αは好ましくは鋭角であり、例えば約３０°である。両加速ローラ２９はそれぞれ適当な支持部材３１ａによって管２１に回転可能に支持されている。支持部材３１ａ上にはころがり軸受３１が設けられている。支持部材３１ａは加速ローラ２９の傾斜位置を決定する。
【００２１】
両加速ローラ２９は対向する２個の案内棒３０によって両開放ディスク２５，２６に連結されている。それによって、開放ディスク２５，２６の回転時に加速ローラ２９はこの開放ディスクと一緒に回転する。この回転を可能にするために、両案内棒３０はそれぞれ２個の球３２を備えている。この球はそれぞれスリット３３内に半径方向に摺動可能に支承されている。球３２は更に、案内棒３０上でその縦方向に摺動可能に案内されている。それによって、両加速ローラ２９は軸１５と共に回転し、同時に開放ディスク２５，２６と同じ回転方向に同じ回転速度で回転する。加速ローラ２９は回転斜板ではなく、いかなるときでも図２に示した傾斜姿勢を維持する。
【００２２】
開放ドラムＣは実質的に、両開放ディスク２３，２４と掴み具３４の形成に関して開放ドラムＢと異なっている。掴み具３４の構造と作用は専門家に知られており、ここでは説明しない。掴み具３４の制御は同様に制御カム３５を介して行われる。開放ドラムＣは図４に従って同様に軸１６を備えている。この軸は軸１５に対して平行に軸受部材１９，２０に支承され、この軸には同様に、台に固定された同軸の管２１が支持されている。開放ドラムＢの場合と同様に、２個の加速ローラ２９が開放ディスク２３，２４の外側で互いに間隔をおいて管２１上に配置されている。この加速ローラ２９の傾斜は開放ドラムＢの場合の傾斜と同じである。駆動は同様に、対向する２本の案内棒３０を介して行われる。
【００２３】
紙葉１２をそれぞれ個別的に開放し、搬送チェーン１３上に落下させるために、開放ディスク２３，２４は開放ディスク２５，２６とそれ自体公知のごとく協働する。加速ローラ２９は同様に対をなして協働し、紙葉１２を搬送チェーン１３の搬送方向に加速する働きをする。この加速ローラ２９なしでは、開放した紙葉１２が水平方向の速度成分なしに搬送チェーン１３上に垂直に落下し、それによって初めて搬送チェーン１３によって水平方向に加速される。
【００２４】
次に、紙葉１２の開放と加速を図５〜８に基づいて詳しく説明する。
【００２５】
図５に示した開放ドラムＢ，Ｃの位置では、紙葉１２は上側部分１２ａを開放ドラムＢの掴み具２７によって掴まれ、短い紙葉部分の端部１２ｂを開放ドラムＣの掴み具３４によって掴まれる。両開放ドラムＢ，Ｃは軸１５または１６の回りに矢印４４，４５の方向に反対向きに回転し、紙葉１２を開放した側を下にして搬送チェーン１３の方に搬送する。この場合、紙葉１２は開放ディスク２３〜２６の外周の面３８，３９によって外面を挟まれる。
【００２６】
図６に示した位置では、紙葉１２の下側の開放端部が搬送チェーン１３に達しているがしかし、連行部材１３ａによってまだ加速されていない。紙葉１２はこの位置で加速ローラ２９によって固定保持され、もはや開放ディスク２３〜２６によって固定保持されない。開放ディスク２３〜２６による挟持から加速ローラ２９による挟持への移行は８０で示した個所で行われる。この個所では、開放ディスク２５，２６の挟持面３８が終わり、実質的に中断しないで加速ローラ２９の挟持面４２が取って代わる。個所８０で、挟持面３８は凹部３７によって途切れる。個所８０は直径方向に向き合い、それによって対をなして配置されている。しかし、１個または２個よりも多い個所８０と、それに対応する数の掴み具２７を設けてもよい。挟持への移行は、紙葉１２が図６に従って約半分開放する位置で行われる。それによって、紙葉１２の一部分は個所８０の下方に位置し、他の部分は個所８０の上方に位置する。
【００２７】
従って、紙葉１２に対する開放ディスク２３〜２６の作用が停止し、紙葉１２は加速ローラ２９によって案内される。移行が直接的に行われるので、紙葉１２はいつでも移行部に沿って案内される。
【００２８】
紙葉１２は図７に従って加速ローラ２９によって更に搬送される。紙葉１２の搬送は加速ローラ２９の傾斜に従って行われる。この傾斜に相応して、従って角度αに相応して、紙葉１２は搬送チェーン１３の搬送方向に対して斜めに下方に搬送される。それによって、紙葉１２は搬送チェーン１３の搬送方向において速度成分Ｖ2 （図１１のａ）を受ける。紙葉１２は、背部（折り目）１２ｃが加速ドラム２９の接触点から出るまで、加速ローラ２９によって強制的に斜めに搬送される。これによって、紙葉１２の開放した下側は図７，８に従って連行部材１３ａの高さ位置に達する。続いて、図８に示す位置で、紙葉１２はチェーン走行方向に向いた速度成分によって、走行する搬送チェーン上に落下し、連行部材１３ａによって連行される。紙葉１２に対する連行部材１３ａの衝撃は、上記の水平速度成分によって小さくなる。上記の垂直落下成分は傾斜した加速ローラ２９によって少しだけ小さくなる。それによって、静電気を帯びた紙葉１２が落下させ、処理することができる。
【００２９】
開放ディスク２３〜２６が例えば２０５ｍｍの直径を有し、加速ローラ２９が３０°の角度αで傾斜していると、チェーンピッチが１４インチ（３５５．６ｍｍ）のときに、水平速度成分Ｖ2 は搬送チェーン１３の速度の４５％になる。この速度成分は角度αを変更することによって大きくまたは小さくすることができる。基本的には、１００％までの加速が可能である。しかし一般的には、予備加速が好ましいので、紙葉１２は搬送チェーン１３上で連行部材１３ａによって位置決めされ、更に水平に加速される。
【００３０】
図１１のａは破線によって、紙葉１２を挟持する範囲４６を示している。折り目１２ｃに対して垂直に延びる範囲４６ａにおいて挟持は開放ディスク２３〜２６によって行われ、斜めに延びる範囲４６ｂにおいて挟持は加速ローラ２９によって行われる。ここでも、紙葉１２が連続的にかつ持続的に案内されることが明らかである。紙葉１２の重心は範囲４６の帯片状の両区間の間にある。従って、挟持範囲４６により、紙葉１２はその解放までおよび搬送チェーン１３上への落下まで、その方向を維持する。水平な速度ベクトルＶ2 と垂直な速度ベクトルＶ1 は、斜め下方に前方に延びる速度ベクトルＶR を生じる。
【００３１】
図９，１０に示す装置（排紙装置）５０の場合には、紙葉１２は上述と同様に開放ドラムＢ′，Ｃ′によって開放され、走行する搬送チェーン１３上に落下する。紙葉１２を積層体から引き抜く装置はここでも省略されている。紙葉１２を掴んで開放するために、ドラムＢ′，Ｃ′は同様に掴み具５６または５５を備えている。この掴み具は公知のごとく形成されている。
【００３２】
開放ドラムＢ′，Ｃ′はは図１０に従って平行な軸５１，５２を備えている。
この軸は両側の端板６８において軸受６９に支承されている。軸５１，５２は同様に、示唆的に示した搬送チェーン１３に対して平行である。
【００３３】
軸５１，５２にはそれぞれ、２個の開放ディスク５３または５４が間隔をおいてかつ互いに平行に配置され、軸５１または５２に相対回転しないように連結されている。図１０において、軸５１，５２は紙葉１２が図面に対して垂直に上側から下側に搬送および開放されるように駆動される。
【００３４】
紙葉１２を搬送チェーン１３の搬送方向に加速するために、開放ディスク５３，５４はそれぞれ、互いに直径方向に配置されかつ相対回転しないように支承された２個のドラム５９を備えている。このドラム５９は図９に従って、円すい状の形状をし、それぞれ軸６１に支承されている。この軸６１の回転軸線は、開放ローラ５３または５４の円周に対する弦を形成している。軸５６上での軸承は、互いに間隔をおいて配置された２個の軸受６２，６３によって行われる。
【００３５】
ドラム５９はそれぞれ、ドラム面６０の最も外側の子午線６０ａが開放ドラムの円周の円の一部を形成するように、凹部５７内に配置されている。外周面５３ａまたは５４ａからドラム面６０への移行部は好ましくは段なしである。
【００３６】
ドラム５９は遊星歯車装置７０と平行な２本の駆動軸６６によって駆動される。遊星歯車装置７０は軸受７１によって軸５１に支持され、太陽歯車７２と、各々の軸６６のための遊星歯車７４を備えている。太陽歯車７２は棒７３を介して、図１０の右側に示した端板６８に固定連結されている。駆動軸６６は互いに間隔をおいて配置された２個の支承板７５に支承されている。この支承板は軸５１に固定連結されている。各々の駆動軸６６に設けられた２個のかさ歯車６７はそれぞれ、ドラム６０に固定連結されたかさ歯車６４にかみ合っている。軸５１の回転時に、駆動軸６６は軸５１の中心軸線の回りに強制的に回転させられ、同時に固有の中心軸線の回りに回転する。これと同様に、ドラム５９はそれぞれその中心軸線の回りに回転させられる。図１０において、ドラム５９の回転方向は矢印７７によって示してある。軸５２のドラム５９は、軸５１のドラム同じように駆動される。そのための駆動装置は図示上の理由から図１０では省略されている。
【００３７】
ドラム５９は実質的に、上述の装置１４の加速ローラ２９の機能を有する。しかし、ドラム５９が紙葉１２に加える水平速度は増大する。これは、軸６１に関して回転対称でミツバチの巣箱の形をしたドラム５９によって生じる。図９に示すように、ドラム５９の外周は、軸受６２に対して間隔が増大するにつれて外周６０ｂに対応して変化する。ドラム５２が一定の速度で回転するので、周速は軸受６２に対して間隔が増大するにつれて連続的に増大する。
【００３８】
紙葉１２は上述のように掴まれ、開放され、続いて対向するドラム５９の間を、搬送装置である搬送チェーンに対して斜めに搬送され、最後に搬送チェーン１３に下ろされる。挟持面５３ａ，５４ａによる挟持部から互いに隣接するドラム面６０ａによる挟持部への移行はここでも継ぎ目なしである。紙葉１２が先ず最初に軸受６２の範囲において捕らえられるので、周速は最初は比較的に遅く、そして図９に示す位置まで連続して増大する。装置５０の場合ドラム６０が開放ディスク５３，５４上に直接配置されているので、挟持範囲４６′は図１１のｂに従って紙葉１２の加速時に上述の装置よりも近接している。従って、装置５０は特に、比較的に小さな寸法の紙葉を下ろすために適している。図１１のｂに更に示すように、締付け範囲４６′はドラム５９によって捕捉した後で水平速度の増大に相応して弧状に延びている。
【図面の簡単な説明】
【図１】技術水準によるフィーダーを概略的に示す図である。
【図２】本発明による装置の概略的な斜視図である。
【図３】図５のＩＩＩ−ＩＩＩ線に沿った断面図である。
【図４】図５のＩＶ−ＩＶ線に沿った断面図である。
【図５】図３，４のＶ−Ｖ線に沿った断面図である。
【図６】軸Ｂ，Ｃが異なる回転位置にあるときの、図３，４のＶＩ−ＶＩ線に沿った本発明による装置の断面図である。
【図７】図３，４のＶＩＩ−ＶＩＩ線に沿った断面図である。
【図８】軸Ｂ，Ｃが異なる回転位置にあるときの、図３，４のＶＩＩＩ−ＶＩＩＩ線に沿った断面図である。
【図９】図１０のＩＸ−ＩＸ線に沿った断面図である。
【図１０】本発明の変形による装置を概略的に示す図である。
【図１１】ａとｂは挟持範囲を図示するための紙葉の正面図である。
【符号の説明】
１２                        紙葉
１２ｃ                      折り目
１３                        搬送装置
１５，１６，５１，５２      軸
２３，２４，２５，２６，５３，５４    開放ドラム
２９，５９                  加速ローラ
３０                        案内棒
３２                        球
３３                        案内スリット
４２                        外周面
４６                        転動範囲
５７                        凹部
６０ａ                      子午線
６０ｂ                      外周
６１                        軸
７０                        遊星歯車装置
Ｂ，Ｃ                      開放ドラム
【図１】
0004713701.tif 000002
【図２】
0004713701.tif 000003
【図３】
0004713701.tif 000004
【図４】
0004713701.tif 000005
【図５】
0004713701.tif 000006
【図６】
0004713701.tif 000007
【図７】
0004713701.tif 000008
【図８】
0004713701.tif 000009
【図９】
0004713701.tif 000010
【図１０】
0004713701.tif 000011
【図１１】
0004713701.tif 000012